(57)【要約】      （修正有） 【課題】ジョイントマットでありながら、連結部分を隠すことができ、更には見栄えの良い高級感のあるマットであると共に温かで肌触りのよいジョイントマットを提供する。【解決手段】多数のマットを縦横方向に連設可能なように四方の辺部にはジョイント部２である連設部を設ける。四辺にはそれぞれ多数の凹凸部２０を有し、これと同様の凹凸部を四方に有する他のジョイントマットがそれぞれの対応するジョイント部２の部分において嵌合することによりきっちりと連結できる。更に、ジョイントマット１の表面には毛足の長い繊維３を一面に配設する。多数のジョイントマットを連結することにより、そのつなぎ目は該毛足の長い繊維３によって隠され、一見して多数のジョイントマット１を連結して形成するマット地であることが一切外見からはわからない状態で使用できるようになる。【選択図】図１
0003159794.tif 000002
【実用新案登録請求の範囲】
【請求項１】
ジョイントマットの表面に毛足の長い繊維３を配設したことを特徴とするジョイントマット。
【請求項２】
毛足の長い繊維３が接着部材で配設していることを特徴とする請求項１記載のジョイントマット。
【請求項３】
接着部材がホットメルトであることを特徴とする請求項２記載のジョイントマット。
【請求項４】
毛足の長い繊維３が樹脂製繊維によって構成されていることを特徴とする請求項１又は２のいずれかに記載のジョイントマット。
【請求項５】
毛足の長い繊維３が動物の毛又は植物の繊維によって構成されていることを特徴とする請求項１又は２のいずれかに記載のジョイントマット。
【考案の詳細な説明】
【技術分野】
【０００１】
本考案は、ジョイントマットに関する考案であり、多数のマットをそれぞれ四方に連設可能なものであって、特に毛足の長い繊維をその表面に有するジョイントマットに関する。
【背景技術】
【０００２】
ジョイントマットに関し、平板状の四方にそれぞれ連結部を有し、縦方向及び横方向に同様のジョイントマットを連結可能として、床などにおいて所望の広さにきっちりと敷き詰めることの可能なジョイントマットはきわめて便利であり、現在多用されているものである。
例えば実用新案登録第３０９２５３１号（特許文献１）に示すようにマット地にジョイント部を設けて多数連結するものがある。
【０００３】
しかし、このマットの表面は一般的には樹脂シート材で構成されているものが多用されているものである。
即ち水回りや汚れ防止等において多用されるものであり、必要に応じて表面に柄を有する樹脂シート等が貼り付けられているものである。
【０００４】
或いは短繊維をその表面に用いたものも存在する。
又、床敷マットとして特開２００１‐１９０３９１号（特許文献２）も存在する。
【先行技術文献】
【特許文献】
【０００５】
【特許文献１】実用新案登録第３０９２５３１号
【特許文献２】特開２００１‐１９０３９１号
【考案の概要】
【考案が解決しようとする課題】
【０００６】
以上の様に、ジョイントマットに関しては、どうしてもその表面には防水性のシートを用いたものや安価を前提として短繊維を有する構成のみしか存在しなかった。
これは使用目的として任意の個数を簡単に連設して用いることが前提であり、できる限り簡素に構成したものや連結構造等を主目的として構成されるものであった。
【０００７】
しかし、昨今の高級志向を要望されるものであることと共により使いやすく、かつ多面において従来品より優れているものが望まれることに伴い、さらなる素晴らしい改良を加味したジョイントマットの提供が望まれるに至っているものである。
【課題を解決するための手段】
【０００８】
以上のように係る課題を見事に解決するため、請求項１は、ジョイントマットの表面に毛足の長い繊維を配設したジョイントマットを提供するものであり、係る考案によって前記課題を見事に解決するものである。
或いは請求項２に係る考案のように毛足の長い繊維が接着部材で配設しているジョイントマットを用いてもよい。
【０００９】
これらの場合請求項３に係る考案のように接着部材がホットメルトを用いてもよい。
更に毛足の長い繊維に関しては請求項４に係る考案のように毛足の長い繊維が樹脂製繊維によって構成されているものでも、或いは請求項５に係る考案のように動物の毛又は植物の繊維によって構成されているものであってもよい。
【考案の効果】
【００１０】
以上のように構成したことから、まず請求項１に係る考案によって、毛足の長い繊維によって、きわめて温かいジョイントマットの提供を可能とする。
従って、肌触りがよく使い心地のよい、きわめて温かなマットとして使用できる。
【００１１】
更に、ジョイントマットであり、多数の該マットを連設して所望の広さに対応させることが可能であるが、毛足の長い繊維によってつなぎ目部分が毛足によって隠れるものとなり、つなぎ目を隠すことができるものであって、ジョイントマットであること自体が外部からは全く視認できずに高級感のあるマット或いはカーペットとして使用することができる。
【００１２】
又請求項２及び３に係る考案によって繊維を簡単にかつきれいに装着できるものとなり、更に簡単な繊維配設加工をも可能とする。
請求項４に係る考案によって、各種任意の毛足の長い繊維を構成することができ、簡単かつ低廉に或いは、それぞれの樹脂の特性に応じて任意の毛足の長い繊維を製造できるものとなる。
【００１３】
請求項５に係る考案によって、樹脂製以外においても、各種毛足の長い繊維を用いることを可能とする。
【図面の簡単な説明】
【００１４】
【図１】本考案に係るジョイントマットの一例を示す図
【図２】本考案に係るジョイントマットを多数連設した状態の一例を示す図
【図３】本考案に係るジョイントマットの断面図の一例を示す図
【考案を実施するための形態】
【００１５】
図１は、本考案に係るジョイントマットの一例を示すものであり、多数のマットを縦横方向に連設可能なように四方の辺部にはジョイント部２である連設部を有するものである。
本図構成は四辺にはそれぞれ多数の凹凸部２０を有し、これと同様の凹凸部を四方に有する他のジョイントマットがそれぞれの対応するジョイント部２の部分において嵌合することによりきっちりと連結できるものである。
【００１６】
更に本図に示すジョイントマット１の表面には毛足の長い繊維３が一面に配設されているものである。
従って、本考案に係るジョイントマットを用いることによりこの毛足の長い繊維の効果によって極めて見栄えの良い表面を表出できるものとなる。
従って高級感あふれる高級カーペットのような雰囲気の表出を可能とする。
【００１７】
更に最も大きな効果として多数のジョイントマットを連結することにより、そのつなぎ目は該毛足の長い繊維３によってきれいに隠されるものとなり、一見してジョイント式即ち多数のジョイントマット１を連結して形成するマット地であることが一切外見からはわからない状態で使用できるものである。
更には毛足の長い繊維３により、例えば裸足などで歩いても保温効果を有し、温かい高級カーペット同様な状態となるものである。
【００１８】
図２は、多数の本考案に係るジョイントマット１を連設した状態を示す図であり、破線で示す部分は、外部からは全く視認できない繋ぎ部分であるつなぎ目２２を表すものである。
従って、毛足の長い繊維によって表面全体を覆われることから、高級感のあるつなぎ目２２の全く分からないクッションマットの提供を可能とするものである。
【００１９】
このように本構成をとることによりジョイントマットでありながら外部からは毛足の長い繊維３によって、つなぎ目２２が見えずあたかもきわめて高級なマットと認識できる構成を提供できるものとなる。
更にジョイントマットであることからジョイント構成により任意の大きさのマットを提供できるものとなり、極めて実用性の高い高級感あふれるマットの提供ができるものである。
【００２０】
図３は、本考案に係るジョイントマット１の断面図を示す図であり、ジョイントマットの本体に毛足の長い繊維３がその表面に一面に配設されているものである。
この場合繊維の種類は、樹脂製の各種任意の繊維を用いてもよく、或いは植物繊維や動物の毛などを用いてもよく、一般的に多用されている繊維状のものであればよい。
【００２１】
更にこれらは例えば布等の一面にこの繊維を配設したうえで接着部材をもってジョイントマット表面に配設するものであってもよい。
或いは布など以外の繊維を配設可能な各種多用されている部材を用いて繊維をジョイントマット表面に配設するものであってもよい。
【００２２】
これらの場合接着部材としてホットメルト等を用いて、接着するものを用いてもよい。
【符号の説明】
【００２３】
１    マット
２    ジョイント部
２０  凹凸部
２２  つなぎ目
３    繊維
【図１】
0003159794.tif 000003
【図２】
0003159794.tif 000004
【図３】
0003159794.tif 000005